(57)【要約】【課題】装置に関する情報を適切に表示することができる画像形成装置を提供する。【解決手段】案内部８５は、第１表示部８１および第１操作部８２を、矢印ＡＲ１方向に沿って進退させる。第２表示部８６は、第１表示部８１と同様に、液晶ディスプレイにより構成されており、タッチパネル機能を実現することができる。また、第２表示部８６は、図３に示すように、第１表示部８１の下方に設けられており、第１表示部８１および第１操作部８２が案内部８５により案内されることによって視認可能となる。  第２操作部８７は、第２表示部８６に隣接して設けられた入力部である。図３に示すように、第２操作部８７は、第２表示部８６と同様に、第１表示部８１の下方に設けられている。制御部は、案内部８５による第１表示部８１の案内動作に連動して、第２表示部８６に、第１表示部８１の表示内容に関連する内容を、表示させることができる。【選択図】図３
2013070279.tif 000002
【特許請求の範囲】
【請求項１】
画像形成装置であって、
(a) 第１表示部と、
(b) 前記第１表示部を案内方向に沿って進退させる案内部と、
(c) 前記第１表示部の下方に設けられており、前記第１表示部が前記案内部により案内されることによって視認可能となる第２表示部と、
(d) 前記案内部による案内動作に連動して、前記第２表示部に、前記第１表示部の表示内容に関連する内容を、表示させる表示制御部と、
を備えることを特徴とする画像形成装置。
【請求項２】
請求項１に記載の画像形成装置において、
(e) 前記第１表示部に隣接して設けられており、前記第１表示部とともに前記案内部により案内される第１操作部と、
(f) 前記第１表示部の下方に設けられており、前記第１表示部が前記案内部により案内されることによって操作可能となる第２操作部、
をさらに備えることを特徴とする画像形成装置。
【請求項３】
請求項２に記載の画像形成装置において、
前記第１表示部は、タッチパネルであることを特徴とする画像形成装置。
【発明の詳細な説明】
【技術分野】
【０００１】
本発明は、複写機、プリンター、ファクシミリ、およびこれらの機能を複合的に備えた画像形成装置に関する。
【背景技術】
【０００２】
従来、操作画面用表示部とは別に、着脱可能な構成にしたプレビュー画面用表示部を設けた画像形成装置が知られている（例えば、特許文献１）。また、操作パネルユニットに操作画面を表示し、拡張ＬＣＤユニットにヘルプ画面を表示する技術も、従来知られている（例えば、特許文献２）。さらに、操作表示部１０のタッチパネル１０ａに、用途に応じた複数の領域を表示させる技術も、従来より知られている（例えば、特許文献３）。
【先行技術文献】
【特許文献】
【０００３】
【特許文献１】特開２００６−０１４２４４号公報
【特許文献２】特開２００８−０７９８０３号公報
【特許文献３】特開２０１０−０１０８４３号公報
【発明の概要】
【発明が解決しようとする課題】
【０００４】
このように、特許文献１から３の技術では、複数の表示部、または複数の領域が必要となり、これら表示部または領域のためのスペースを確保することが必要となる。その結果、表示部が大型化するという問題が生ずる。
【０００５】
そこで、本発明では、装置に関する情報を適切に表示することができる画像形成装置を提供することを目的とする。
【課題を解決するための手段】
【０００６】
上記の課題を解決するため、請求項１の発明は、画像形成装置であって、第１表示部と、前記第１表示部を案内方向に沿って進退させる案内部と、前記第１表示部の下方に設けられており、前記第１表示部が前記案内部により案内されることによって視認可能となる第２表示部と、前記案内部による案内動作に連動して、前記第２表示部に、前記第１表示部の表示内容に関連する内容を、表示させる表示制御部とを備えることを特徴とする。
【０００７】
また、請求項２の発明は、請求項１に記載の画像形成装置において、前記第１表示部に隣接して設けられており、前記第１表示部とともに前記案内部により案内される第１操作部と、前記第１表示部の下方に設けられており、前記第１表示部が前記案内部により案内されることによって操作可能となる第２操作部、をさらに備えることを特徴とする。
【０００８】
また、請求項３の発明は、請求項２に記載の画像形成装置において、前記第１表示部は、タッチパネルであることを特徴とする。
【発明の効果】
【０００９】
請求項１から請求項３に記載の発明において、第２表示部には、案内部による案内動作に連動して、第１表示部の表示内容に関連する内容が、表示される。これにより、第１表示部には、基本操作に必要な事項を、第２表示部には、基本操作を補足するための事項を、それぞれ表示させることができる。すなわち、第１表示部には、必要最小限の事項だけを表示することができる。そのため、第１および第２表示部が配置されるスペースを縮小でき、画像形成装置の小型化を図ることができる。
【００１０】
特に、請求項２に記載の発明によれば、第２操作部は、第１表示部の下方に設けられている。そのため、第１および第２表示部、並びに第２操作部が配置されるスペースをさらに縮小でき、画像形成装置の小型化をさらに図ることができる。
【００１１】
特に、請求項３に記載の発明によれば、第１表示部は、タッチパネルにより構成されている。これにより、入力作業毎に第１表示部を移動させることは必要とされない。そのため、入力作業をさらに容易に実行することができる。
【図面の簡単な説明】
【００１２】
【図１】本発明の実施の形態における画像形成装置の全体構成の一例を示す正面斜視図である。
【図２】操作表示部の構成の一例を示す平面図である。
【図３】操作表示部の構成の一例を示す平面図である。
【図４】操作表示部に表示される内容の一例を示す平面図である。
【図５】操作表示部に表示される内容の一例を示す平面図である。
【図６】操作表示部に表示される内容の一例を示す平面図である。
【図７】操作表示部に表示される内容の一例を示す平面図である。
【図８】操作表示部に表示される内容の一例を示す平面図である。
【発明を実施するための形態】
【００１３】
以下、図面を参照しつつ本発明の実施の形態について詳細に説明する。
【００１４】
＜１．画像形成装置および操作表示部の構成＞
図１は、本発明の実施の形態における画像形成装置１の全体構成の一例を示す正面斜視図である。図２および図３は、操作表示部８０の構成の一例を示す平面図である。ここで、画像形成装置１は、複写機、プリンター、ファクシミリ、およびこれらの機能を複合的に有するものである。図１に示すように、画像形成装置１は、主として、画像形成部１０と、給紙部３０と、排紙部５０と、スキャナー部６０と、操作表示部８０と、制御部９０と、を有している。
【００１５】
画像形成部１０は、電子写真方式により、静電潜像に基づいたトナー像を記録材Ｐに記録する記録部であり、図１に示すように、給紙部３０の上部に設けられている。そして、画像形成部１０は、給紙部３０から供給される記録材に、モノクロ画像またはカラー画像を印刷する。
【００１６】
給紙部３０は、主として、一または複数（本実施の形態では３つ）の給紙トレイ３１を有している。各給紙トレイ３１は、複数の記録材を収容可能な収容部である。給紙部３０は、給紙トレイ３１内に収容された各記録材を、最上層のものから順に、繰り出す。そして、給紙部３０は、給紙トレイ３１から１枚ずつ繰り出された記録材を画像形成部１０に供給する。
【００１７】
排紙部５０は、画像形成部１０によりトナー像が印刷された記録材を、本体１ａ外に排紙する。図１に示すように、排紙部５０は、画像形成部１０の上部に設けられている。
【００１８】
スキャナー部６０は、自動給紙（ＡＤＦ：Automatic Document Feeder）方式、または、フラットベッド（Flat Bed）方式によって、原稿から画像を読み取る。図１に示すように、スキャナー部６０は、排紙部５０の上方に配置されており、主として、原稿給送部６１と、原稿載置部６２と、読取部６３と、を有している。
【００１９】
原稿給送部６１は、自動給紙方式が採用されており、読取部６３に対して原稿を搬送させつつ、原稿の各部で反射された反射光を読取部６３に読み取らせることによって、原稿の画像を取得させる。
【００２０】
原稿載置部６２は、フラットベッド方式による画像読取に使用される。図１に示すように、原稿載置部６２は、原稿給送部６１の下方に配置されている。例えば、原稿載置部６２に対して原稿給送部６１が開閉されることによって、読取対象となる原稿が、原稿載置部６２に載置される。そして、原稿で反射され、原稿載置部６２を透過した光が、読取部６３で読み取られることによって、原稿の画像が取得される。
【００２１】
読取部６３は、いわゆる画像入力部であり、原稿上の画像を読み取る。図１に示すように、読取部６３は、原稿給送部６１および原稿載置部６２の下方に設けられている。読取部６３で読み取られた画像データは、例えばＪＰＥＧ方式に圧縮され、画像メモリ（図示省略）に記憶される。
【００２２】
操作表示部８０は、画像形成装置１に関する情報を表示するとともに、画像形成装置１の使用者（以下、単に、「使用者」とも呼ぶ）が行った入力動作を受け付ける。図２および図３に示すように、操作表示部８０は、主として、第１および第２表示部８１、８６と、第１および第２操作部８２、８７と、を有している。
【００２３】
第１表示部８１は、第２表示部８６の上方に設けられた液晶ディスプレイである。第１表示部８１は、指や専用のペンで画面に触れることによって画面上の位置を指定できる「タッチパネル」としての機能を有している。したがって、使用者は、第１表示部８１に表示された内容に基づき、第１表示部８１の「タッチパネル」機能を使用した指示を行うことによって、画像形成装置１に所定の処理を実行させることができる。このように、第１表示部８１は、使用者からの入力動作を受け付ける入力部としても使用される。
【００２４】
第１操作部８２は、第１表示部８１に隣接して設けられた入力部である。ここで、図２および図３に示すように、第１操作部８２は、例えば、「電源ボタン」および「印刷開始ボタン」が含まれており、第１操作部８２には画像形成装置１の基本的な操作が、割り付けられている。
【００２５】
案内部８５は、第１表示部８１および第１操作部８２を、矢印ＡＲ１方向(案内方向）に沿って進退させる。なお、案内部８５の案内動作は、ガイドレール等の公知の技術によって実現することができる。
【００２６】
第２表示部８６は、第１表示部８１と同様に、液晶ディスプレイにより構成されており、タッチパネル機能も実現することができる。また、第２表示部８６は、図３に示すように、第１表示部８１の下方に設けられており、第１表示部８１および第１操作部８２が案内部８５により案内されることによって視認可能となる。
【００２７】
第２操作部８７は、第２表示部８６に隣接して設けられた入力部である。図３に示すように、第２操作部８７は、第２表示部８６と同様に、第１表示部８１の下方に設けられている。そして、第１表示部８１および第１操作部８２が案内部８５により案内されることによって、第２操作部８７は操作可能となる。ここで、図３に示すように、第２操作部８７は、例えば、「テンキー」が含まれており、第２操作部８７には汎用的な操作が、割り付け可能とされている。
【００２８】
このように、第２表示部８６に加えて第２操作部８７も、第１表示部８１の下方に設けられている。そのため、第１および第２表示部８１、８６、並びに第２操作部８７が配置されるスペースをさらに縮小できる。
【００２９】
また、上述のように、第１表示部８１は、タッチパネルにより構成されており、第１表示部８１を用いることによっても、汎用的な入力動作を実現できる。すなわち、入力作業毎に第１表示部８１を移動させることは、必要とされない。そのため、入力作業をさらに容易に実行することができる。
【００３０】
制御部９０は、図１に示すように、排紙部５０の下方に設けられている。制御部９０は、画像形成装置１の各要素の動作制御、およびデータ演算を実現する。例えば、制御部９０は、案内部８５による第１表示部８１の案内動作に連動して、第２表示部８６に、第１表示部８１の表示内容に関連する内容を、表示させることができる。このように、制御部９０は、第１表示部８１および第２表示部８６の表示内容を制御する表示制御部として、使用できる。
【００３１】
＜２．第１および第２表示部の表示例＞
図４および図５は、ジャム発生時における第１および第２表示部８１、８６の表示例を示す。例えば、紙詰まり等が発生すると、第１表示部８１には、画像形成装置１の模式図と、紙詰まり位置８１ａと、が、表示される（図４参照）。そして、第１表示部８１が矢印ＡＲ１方向に移動させられ、第２表示部８６が視認可能となると、第２表示部８６には、ジャム処理手順が表示される。
【００３２】
また、図６および図７は、コピー時における第１および第２表示部８１、８６の表示例を示す。第１表示部８１にコピー時における基本的な条件（例えば、コピー枚数や、コピーサイズ等）を設定する画面が表示された状態で、第１表示部８１をスライドさせると、第２表示部８６には、コピー時における応用的な条件（例えば、ステープルの位置等）を設定する画面が表示される。
【００３３】
また、図８は、ＦＡＸ送信時における第１および第２表示部８１、８６の表示例を示す。例えば、ＦＡＸが送信された後、第１表示部８１をスライドさせると、第２操作部８７には、ＦＡＸの送信状況を示す情報が表示される。
【００３４】
＜３．本実施の形態における画像形成装置の利点＞
以上のように、画像形成装置１において、第２表示部８６には、案内部８５による案内動作に連動して、第１表示部８１の表示内容に関連する内容が、表示される。これにより、第１表示部８１には、基本操作に必要な情報を、第２表示部８６には、基本操作を補足するための情報を、それぞれ表示させることができる。すなわち、第１表示部８１には、必要最小限の情報だけを表示することができる。そのため、第１および第２表示部８１、８６が配置されるスペースを縮小でき、画像形成装置１の小型化を図ることができる。
【符号の説明】
【００３５】
１  画像形成装置
１a  本体
１０  画像形成部
３０  給紙部
５０  排紙部
６０  スキャナー部
８０  操作表示部
８１  第１表示部
８２  第１操作部
８５  案内部
８６  第２表示部
８７  第２操作部
９０  制御部（表示制御部）
【図１】
2013070279.tif 000003
【図２】
2013070279.tif 000004
【図３】
2013070279.tif 000005
【図４】
2013070279.tif 000006
【図５】
2013070279.tif 000007
【図６】
2013070279.tif 000008
【図７】
2013070279.tif 000009
【図８】
2013070279.tif 000010